(57)【要約】【課題】構成部品や組立工程の増加を招くことなく、接続端子の保持力を向上させることのできるコネクタを提供すること。【解決手段】雌型接続端子２０は、抜け止め用のバネ片２９が突出する外周壁上で、バネ片２９の装備位置よりも雌型接続端子２０の後端寄りにずれた位置に形成されたランス係合部２３を備え、雌型接続端子２０を端子収容孔３１に収容するコネクタハウジング３０は、端子収容孔３１への挿入が完了した雌型接続端子２０のランス係合部２３に係合して雌型接続端子２０の抜け方向への移動を規制するランス３７と、当該ランス３７の先端部に一体形成されたバネ片係止部３８と、を備える。【選択図】図７
2012221577.tif 000002
【特許請求の範囲】
【請求項１】
金属板の折り曲げ成形により略角筒状に形成された角筒状部と、該角筒状部の外周壁から突出するように前記外周壁を構成する壁板の一部を切り起こして形成された抜け止め用のバネ片と、を備えた接続端子と、
前記接続端子を収容する端子収容孔と、前記端子収容孔への挿入が完了した前記接続端子の前記バネ片と係合して前記接続端子の抜け止めを行うバネ片係止部と、を備えたコネクタハウジングと、
を備えるコネクタであって、
前記接続端子は、前記バネ片が突出する外周壁上で、前記バネ片の装備位置よりも接続端子の後端寄りにずれた位置に形成されたランス係合部を備え、
前記コネクタハウジングは、前記端子収容孔への挿入が完了した前記接続端子のランス係合部に係合して前記接続端子の抜け方向への移動を規制するランスと、当該ランスの先端部に一体形成された前記バネ片係止部と、を備えることを特徴とするコネクタ。
【請求項２】
前記バネ片は、前記角筒状部の一外周壁における一側縁から他側縁に向かって延出する板バネで、前記接続端子の前記端子収容孔への挿入方向と直交する方向に延在する側縁部が前記バネ片係止部に当接することで、前記接続端子の抜け方向への移動を規制することを特徴とする請求項１に記載のコネクタ。
【発明の詳細な説明】
【技術分野】
【０００１】
本発明は、コネクタハウジングに収容した接続端子を抜け止めする機構として、金属板製の接続端子の角筒状部にバネ片が突設されると共に、コネクタハウジングには前記バネ片と係合して前記接続端子の抜け止めを行うバネ片係止部が装備されるコネクタに関する。
【背景技術】
【０００２】
図１０及び図１１は、下記特許文献１に開示されたコネクタを示している。
このコネクタ１００は、図１０に示すように、金属板のプレス成形により形成される接続端子１１０と、この接続端子１１０を収容保持する樹脂製のコネクタハウジング１２０とを備えている。
【０００３】
接続端子１１０は、所謂雌型の接続端子で、図１１に示すように、金属板の折り曲げ成形により略角筒状に形成された角筒状部１１１と、この角筒状部１１１の後端に連なる電線接続部１１２と、角筒状部１１１上に形成された抜け止め用のバネ片１１３と、を備えている。
【０００４】
抜け止め用のバネ片１１３は、角筒状部１１１の外周壁から突出するように、外周壁を構成する上部壁板１１１ａの一部を切り起こして形成された舌状の板バネである。
【０００５】
このバネ片１１３は、角筒状部１１１の先端側から後端側に向かって接続端子の挿入方向に沿って延出していて、自由端である先端部１１３ａが後述するコネクタハウジング側の係止面に当接することで、抜け方向への移動を規制する。
【０００６】
コネクタハウジング１２０は、図１０に示すように、接続端子１１０を収容する端子収容孔１２１と、端子収容孔１２１に臨んで配置されたバネ片係止部１２２と、を備える。
【０００７】
バネ片係止部１２２は、図１０に示すように、端子収容孔１２１への挿入が完了した接続端子１１０のバネ片１１３と係合して接続端子１１０の抜け止めを行う係合孔である。
【０００８】
接続端子１１０の端子収容孔１２１への挿入が完了した状態で、接続端子１１０に抜け方向（図１０で矢印Ｘ１方向）の引張荷重が作用すると、図示のように、バネ片１１３の先端部１１３ａがバネ片係止部１２２の内周面に当接して、抜け止めされる。
【先行技術文献】
【特許文献】
【０００９】
【特許文献１】特開平１１−３７３９号公報
【発明の概要】
【発明が解決しようとする課題】
【００１０】
ところが、特許文献１のコネクタ１００の場合、抜け止めは、接続端子１１０に切り起こしにより形成した単一のバネ片１１３とコネクタハウジング１２０のバネ片係止部１２２との係合のみで行っている。しかも、バネ片１１３は接続端子１１０の挿入方向に沿って延出した形状のため、抜き方向の荷重が作用したときに、バネ片１１３に撓み変形が生じ易く、十分な保持力を確保することが難しいという問題があった。
【００１１】
そして、接続端子１１０に対する保持力が不十分な場合は、抜き方向の外部荷重が作用したときに接続端子１１０にガタつきが生じて、電気的な接続性の低下を招くおそれがあった。
【００１２】
このような不都合の発生を防止するため、コネクタハウジング１２０へ接続端子１１０を装着後、コネクタハウジング１２０に別体のリテーナを組み付けることで接続端子１１０を２重係止状態にして、接続端子１１０に対する保持力を向上させるようにしたコネクタも提案されている。
【００１３】
しかし、別体のリテーナ等を使用する方法では、構成部品や組立工程の増加という問題が生じる。
【００１４】
そこで、本発明の目的は、上記課題を解消することに係り、構成部品や組立工程の増加を招くことなく、接続端子の保持力を向上させることのできるコネクタを提供することにある。
【課題を解決するための手段】
【００１５】
本発明の前述した目的は、下記の構成により達成される。
（１）金属板の折り曲げ成形により略角筒状に形成された角筒状部と、該角筒状部の外周壁から突出するように前記外周壁を構成する壁板の一部を切り起こして形成された抜け止め用のバネ片と、を備えた接続端子と、
前記接続端子を収容する端子収容孔と、前記端子収容孔への挿入が完了した前記接続端子の前記バネ片と係合して前記接続端子の抜け止めを行うバネ片係止部と、を備えたコネクタハウジングと、
を備えるコネクタであって、
前記接続端子は、前記バネ片が突出する外周壁上で、前記バネ片の装備位置よりも接続端子の後端寄りにずれた位置に形成されたランス係合部を備え、
前記コネクタハウジングは、前記端子収容孔への挿入が完了した前記接続端子のランス係合部に係合して前記接続端子の抜け方向への移動を規制するランスと、当該ランスの先端部に一体形成された前記バネ片係止部と、を備えることを特徴とするコネクタ。
【００１６】
（２）前記バネ片は、前記角筒状部の一外周壁における一側縁から他側縁に向かって延出する板バネで、前記接続端子の前記端子収容孔への挿入方向と直交する方向に延在する側縁部が前記バネ片係止部に当接することで、前記接続端子の抜け方向への移動を規制することを特徴とする上記（１）に記載のコネクタ。
【００１７】
上記（１）の構成によれば、コネクタハウジングに対して接続端子を抜け止めする保持力は、接続端子のバネ片とコネクタハウジングのバネ片係止部との間の係合力に、接続端子のランス係合部とコネクタハウジングのランスとの係合力を加算したものとなり、バネ片とバネ片係止部との間の係合力だけで接続端子の抜け方向への移動を規制していた従来のコネクタと比較すると、接続端子に対する保持力を大幅に向上させることができる。しかも、リテーナ等の別体の部品追加をしていない。
【００１８】
従って、構成部品や組立工程の増加を招くことなく、接続端子の保持力を向上させることができる。
【００１９】
上記（２）の構成によれば、接続端子のバネ片は、角筒状部の一外周壁における一側縁から他側縁に向かって延出していて、接続端子の端子収容孔への挿入方向と直交する方向に延在する側縁部がバネ片係止部に当接する。従って、接続端子に抜け方向の外部荷重が作用した場合に、バネ片に作用する荷重方向はバネ片の延出方向と直交する方向で、バネ片に撓み変形が生じ難い。
【００２０】
そのため、バネ片がバネ片係止部に当接することで得られる移動規制性能が向上し、接続端子のガタつき等をさらに低減させることができる。
【発明の効果】
【００２１】
本発明によるコネクタによれば、コネクタハウジングに対して接続端子を抜け止めする保持力は、接続端子のバネ片とコネクタハウジングのバネ片係止部との間の係合力に、接続端子のランス係合部とコネクタハウジングのランスとの係合力を加算したものとなり、バネ片とバネ片係止部との間の係合力だけで接続端子の抜け方向への移動を規制していた従来のコネクタと比較すると、接続端子に対する保持力を大幅に向上させることができる。しかも、リテーナ等の別体の部品追加をしていない。
【００２２】
従って、構成部品や組立工程の増加を招くことなく、接続端子の保持力を向上させることができる。
【図面の簡単な説明】
【００２３】
【図１】本発明に係るコネクタで使用する接続端子の一実施形態の斜視図である。
【図２】図１に示した接続端子の先端側部分の縦断面図である。
【図３】図１の接続端子を収容するコネクタハウジングの端子収容孔の縦断面図である。
【図４】図３のＡ矢視図である。
【図５】図３に示したランス及びバネ片係止部の拡大図である。
【図６】図１の接続端子を保持したコネクタハウジングの正面図の一部拡大図である。
【図７】図６のＢ−Ｂ断面図である。
【図８】図７に示した状態から接続端子に抜き方向の外部荷重が作用して、接続端子のバネ片がランスの先端のバネ片係止部に当接している状態の断面図である。
【図９】図８のＣ部の拡大図である。
【図１０】従来のコネクタの縦断面図である。
【図１１】図１０に示した接続端子の斜視図である。
【発明を実施するための形態】
【００２４】
以下、本発明に係るコネクタの好適な実施形態について、図面を参照して詳細に説明する。
【００２５】
この一実施形態のコネクタは、図１及び図２に示す雌型接続端子２０と、図３〜図５に示すコネクタハウジング３０とを、備えている。
【００２６】
図１は本発明の一実施形態の接続端子の斜視図、図２は図１に示した接続端子の先端側部分の縦断面図である。また、図３は図１の接続端子を収容するコネクタハウジングの端子収容孔の縦断面図、図４は図３のＡ矢視図、図５は図３に示したランス及びバネ片係止部の拡大図である。
【００２７】
一実施形態の雌型接続端子２０は、金属板のプレス成形品である。雌型接続端子２０は、先端（図２では右端）に金属板の折り曲げ成形により略角筒状に形成された端子嵌合部２１と、端子嵌合部２１の後端に連なる角筒構造の角筒状部２２と、角筒状部２２の後端に連なる電線圧着部２４と、を備える。
【００２８】
本実施形態の場合、角筒状部２２は、端子嵌合部２１の後端側を延長した角筒構造である。角筒状部２２を構成する４面の外周壁の内の１つである上部壁２２ａには、後述のランス３７の突起部３７ｂが係合するランス係合部２３と、抜け止め用のバネ片２９と、が形成されている。
【００２９】
端子嵌合部２１は、接続相手となる雄タブ端子（不図示）の先端のタブが嵌合可能な角筒構造で、タブが嵌合接続される。端子嵌合部２１の内部には、図２に示すように、挿入されたタブを上面２１ａ側に押圧してタブとの導通接続を実現する押圧バネ片２６が、設けられている。
【００３０】
ランス係合部２３は、後述のコネクタハウジング３０におけるランス３７の突起部３７ｂが係合する略四角形の開口である。このランス係合部２３は、図１に示す雌型接続端子２０の中心軸Ｃ２０に対して、幅方向（図１の矢印Ｙ１方向）に偏心した状態で形成されている。また、本実施形態の場合、ランス係合部２３は、後述のランス３７の突起部３７ｂが角筒状部２２の片側の側壁部２２ｂにも係合可能なように、後述のランス３７と対向する角筒状部２２の上部壁２２ａと該上部壁の片側の側縁に連なる側壁部２２ｂとに跨って開口（切り欠き）を形成することで形成されている。
【００３１】
本実施形態の場合、ランス係合部２３は、後述のバネ片２９が突出する外周壁である上部壁２２ａ上で、後述のバネ片２９の装備位置よりも雌型接続端子２０の後端寄り（図１の矢印Ｘ２方向寄り）にずれた位置に形成されている。
【００３２】
このランス係合部２３の先端側の縁部が、ランス３７の突起部３７ｂとの当接により抜け止めを実現するランス係合面２３ａとなる。
【００３３】
本実施形態のランス係合面２３ａは、図１に示すように、上部壁２２ａにおける開口の縁部である第１係合面２３１と、側壁部２２ｂにおける開口の縁部で第１係合面２３１の端から上部壁２２ａと略直交する方向に延在する第２係合面２３２とを備えた鉤形（Ｌ字形）の係合面である。
【００３４】
抜け止め用のバネ片２９は、角筒状部２２の一側の外周壁である上部壁２２ａから突出するように、上部壁２２ａを構成する壁板の一部を切り起こして形成されている。本実施形態の場合、バネ片２９は、ランス係合部２３と同一の上部壁２２ａ上で、ランス係合部２３よりも端子の先端よりにずれた位置に形成されている。
【００３５】
バネ片２９は、角筒状部２２の一外周壁である上部壁２２ａにおける一側縁（側壁部２２ｂ側の縁部）から他側縁（側壁部２２ｂに対向する側壁部２２ｃ側の縁部）に向かって延出する板バネである。この抜け止め用のバネ片２９は、後述の端子収容孔３１への挿入方向（図７の矢印Ｘ３方向）と直交する方向（図１の矢印Ｙ１と平行な方向）に延在する側縁部２９ａが図８に示すように後述のバネ片係止部に当接することで、雌型接続端子２０の抜け方向（図８の矢印Ｘ４方向）への移動を規制する。
【００３６】
電線圧着部２４は、電線の導体に圧着される導体加締め片２７と、電線の被覆部に加締め付けられる被覆加締め片２８とを備えている。
【００３７】
図３〜図５に示したコネクタハウジング３０は、雌型接続端子２０を収容保持する雌型ハウジングで、プラスチック材料による射出成型品である。図６及び図７は、雌型接続端子２０を収容保持した状態を示している。また、図８及び図９は、収容保持した雌型接続端子２０に抜け方向の荷重が作用した状態を示している。
【００３８】
このコネクタハウジング３０は、雌型接続端子２０を収容する端子収容孔３１と、雌型接続端子２０に嵌合接続する不図示の雄タブ端子のタブが挿入されるタブ挿通口３３と、端子収容孔３１への挿入が完了した雌型接続端子２０の抜けを防止する手段としてのランス３７及びバネ片係止部３８と、を備える。
【００３９】
端子収容孔３１は、ハウジング後端から雌型接続端子２０が挿入可能なように、コネクタハウジング３０の後端面（基端面）３０ａ（図７参照）に開口した孔である。
【００４０】
タブ挿通口３３は、ハウジング先端に貫通形成された横断面形状が四角形の孔で、端子収容孔３１の先端側に連通している。
【００４１】
ランス３７は、図３〜図７に示すように、端子収容孔３１の長手方向に沿って延在する片持ち梁状の弾性片３７ａと、弾性片３７ａの先端側から端子収容孔３１内に突出する突起部３７ｂとを備えている。ランス３７は、雌型接続端子２０の端子収容孔３１への挿入が完了した際に、突起部３７ｂが雌型接続端子２０のランス係合部２３に係合して、雌型接続端子２０の抜け方向（図８の矢印Ｘ４方向）への移動を規制する。
【００４２】
バネ片係止部３８は、図５にも示すように、タブ挿通口３３側に向かって突出した形態に、ランス３７の先端部に一体形成された突起である。バネ片係止部３８は、図７及び図８に示すように、端子収容孔３１への挿入が完了した雌型接続端子２０のバネ片２９の側縁部２９ａと係合（当接）して、雌型接続端子２０の抜け止めを行う。
【００４３】
以上に説明した一実施形態のコネクタでは、コネクタハウジング３０に対して雌型接続端子２０を抜け止めする保持力は、雌型接続端子２０のバネ片２９とコネクタハウジング３０のバネ片係止部３８との間の係合力に、雌型接続端子２０のランス係合部２３とコネクタハウジング３０のランス３７との係合力を加算したものとなり、バネ片とバネ片係止部との間の係合力だけで雌型接続端子の抜け方向への移動を規制していた従来のコネクタと比較すると、雌型接続端子２０に対する保持力を大幅に向上させることができる。しかも、リテーナ等の別体の部品追加をしていない。
【００４４】
従って、構成部品や組立工程の増加を招くことなく、雌型接続端子の保持力を向上させることができる。
【００４５】
また、一実施形態のコネクタでは、雌型接続端子２０のバネ片２９は、角筒状部２２の一外周壁である上部壁２２ａにおける一側縁から他側縁に向かって延出していて、雌型接続端子２０の端子収容孔３１への挿入方向と直交する方向に延在する側縁部２９ａがバネ片係止部３８に当接する。従って、雌型接続端子２０に抜け方向の外部荷重が作用した場合に、バネ片２９に作用する荷重方向はバネ片２９の延出方向と直交する方向で、バネ片２９に撓み変形が生じ難い。
【００４６】
そのため、バネ片２９がバネ片係止部３８に当接することで得られる移動規制性能が向上し、雌型接続端子２０のガタつき等をさらに低減させることができる。
【００４７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４８】
２０  雌型接続端子
２２  角筒状部
２２ａ  上部壁（外周壁）
２３  ランス係合部
２３ａ  ランス係合面
２９  バネ片
３０  コネクタハウジング
３１  端子収容孔
３７  ランス
３７ｂ  突起部
３８  バネ片係止部
【図１】
2012221577.tif 000003
【図２】
2012221577.tif 000004
【図３】
2012221577.tif 000005
【図４】
2012221577.tif 000006
【図５】
2012221577.tif 000007
【図６】
2012221577.tif 000008
【図７】
2012221577.tif 000009
【図８】
2012221577.tif 000010
【図９】
2012221577.tif 000011
【図１０】
2012221577.tif 000012
【図１１】
2012221577.tif 000013